【手続補正書】
【提出日】平成28年12月20日(2016.12.20)
【手続補正１】
【補正対象書類名】特許請求の範囲
【補正対象項目名】全文
【補正方法】変更
【補正の内容】
【特許請求の範囲】
【請求項１】
コンピューター実行可能命令が具体化された１つ以上のコンピューター記憶媒体であって、前記コンピューター実行可能命令が実行されると、画像インデックスを構築する方法を実行し、前記方法が、
ウェブ画像、該ウェブ画像に関連した特定人物の識別情報、および前記ウェブ画像へのリンクを求めて複数のオンライン位置を採掘するために、ウェブ・クローリング・メカニズムを開始するステップと、
前記ウェブ画像の各々の視覚的特徴を検出し、前記ウェブ画像の各々に識別子を割り当てるステップであって、各識別子が、これが割り当てられた前記ウェブ画像の前記視覚的特徴を記述する、ステップと、
前記特定人物の識別情報を、対応するウェブ画像の識別子に関連付けるステップと、
対応するウェブ画像の各識別子を前記対応するウェブ画像へのリンクにマッピングするステップと、
前記ウェブ画像の前記マッピングされた識別子を、関連した前記特定人物の識別情報と前記ウェブ画像への前記リンクと共に、前記画像インデックスに格納するステップと、
検索問い合わせに対応する少なくとも１つの検索問い合わせ画像識別子を受けるステップであって、前記少なくとも１つの検索問い合わせ画像識別子が、特定の人物と関連付けられ、前記検索問い合わせのテキスト内容から決定される、ステップと、
前記少なくとも１つの検索問い合わせ画像識別子を、前記画像インデックスに格納された前記ウェブ画像の前記識別子と比較するステップと、
前記少なくとも１つの検索問い合わせ画像識別子に対応する少なくとも１つの関連ウェブ画像を識別するステップであって、前記少なくとも１つの関連ウェブ画像が、前記少なくとも１つの検索問い合わせ画像識別子と関連した前記特定の人物と関連するウェブ画像識別子を含む、ステップと、
前記特定の人物と関連した複数の非画像ベースの検索結果を、検索エンジンにより決定するステップと、
前記少なくとも１つの関連ウェブ画像に関連した前記ウェブ画像識別子と前記複数の非画像ベースの検索結果とを併合エンジンに伝えるステップと、
前記少なくとも１つの関連ウェブ画像と前記複数の非画像ベースの検索結果とを、関連性にしたがって前記併合エンジンによって順位付けして、併合検索結果リストを決定するステップと、
前記検索問い合わせに応答して前記併合検索結果リストを提示のために配布するステップであって、前記併合検索結果が、前記少なくとも１つの関連ウェブ画像と前記複数の非画像ベースの検索結果とを含む、ステップと、
含む、１つ以上のコンピューター記憶媒体。
【請求項２】
請求項１記載の媒体において、前記方法が、更に、
前記ウェブ画像の前記識別子を、前記ウェブ画像に現れる１人以上の人物の固有名詞にマッピングするステップと、
前記ウェブ画像のマッピングされた識別子と、前記固有名詞とを格納するステップと、
を含む、媒体。
【請求項３】
請求項１記載の媒体において、前記ウェブ画像への前記リンクが、前記ウェブ画像を含むウェブ・ページへのユニフォーム・リソース・ロケーター（ＵＲＬ）アドレスを含む、媒体。
【請求項４】
コンピューター実行可能命令が具体化された１つ以上のコンピューター記憶媒体であって、前記コンピューター実行可能命令が実行されると、人物に関係する少なくとも１つのディジタル画像を引き出す方法を実行し、前記方法が、
特定の既知の人物についての検索問い合わせを受けるステップであって、前記検索問い合わせがテキストベースの問い合わせである、ステップと、
前記検索問い合わせの意図が前記特定の既知の人物に関係する情報を見つけることであることを認識するステップと、
前記検索問い合わせのコンテンツを使用して、前記特定の既知の人物に関係する少なくとも１つのディジタル画像および特定の既知の人物の識別情報を自動的に選択するステップと、
ドロップ・ダウン・メニュー、人物一義化検索問い合わせリスト、ソーシャル・バーのうちの１つに、前記少なくとも１つのディジタル画像および前記特定の既知の人物の識別情報を提示するステップと、
前記少なくとも１つのディジタル画像および前記特定の既知の人物の識別情報の選択を受けるステップであって、前記選択が、前記少なくとも１つのディジタル画像および前記特定の既知の人物の識別情報に関連した前記特定の既知の人物に対する検索をするという意図の指示として作用する、ステップと、
前記少なくとも１つのディジタル画像の識別子および前記特定の既知の人物の識別情報を画像インデックスに提出するステップであって、前記画像インデックスが、ウェブ画像の識別子と前記ウェブ画像へのリンクとの間のマッピングを含む、ステップと、
前記少なくとも１つのディジタル画像の前記識別子を、前記画像インデックス内の前記ウェブ画像の前記識別子と比較するステップと、
前記比較に基づいて、前記画像インデックス内の前記ウェブ画像の前記ウェブ画像識別子の少なくとも１つの関連識別子を識別するステップであって、前記少なくとも１つの関連識別子が前記特定の既知の人物に関連付けられた、ステップと、
前記少なくとも１つの関連識別子にマッピングされた少なくとも１つのリンクを戻すステップと、
前記特定の既知の人物と関連した複数の非画像ベースの検索結果を、検索エンジンにより決定するステップと、
前記少なくとも１つの関連識別子と前記複数の非画像ベースの検索結果とを、関連性にしたがって前記併合エンジンによって順位付けして、併合検索結果リストを決定するステップと、
前記併合検索結果リストを提示のために配布するステップであって、前記併合検索結果リストが、前記少なくとも１つの関連識別子にマッピングされた前記少なくとも１つのリンクの表現と前記複数の非画像ベースの検索結果とを含む、ステップと、
を含む、１つ以上のコンピューター記憶媒体。
【請求項５】
請求項４記載の媒体において、前記ディジタル画像および前記特定の既知の人物の識別情報がソーシャル・ネットワーキング・ウェブサイトから選択される、媒体。
【請求項６】
請求項４記載の媒体において、前記検索問い合わせを解明するステップが、更に、前記画像インデックスから、前記ウェブ画像の識別子にマッピングされた少なくとも１つのリンクを戻すステップを含み、前記ウェブ画像の前記少なくとも１つの関連識別子が、前記ウェブ画像に現れる人々の１つ以上の固有名詞にマッピングされ、前記マッピングされた１つ以上の固有名詞が、前記特定の既知の人物についての前記検索問い合わせのコンテンツとして入力された固有名詞と対応する、媒体。
【請求項７】
ユーザーからの検索問い合わせを満たすために画像インデックスを採用するためのコンピューター化方法であって、
ウェブ画像、該ウェブ画像に関連した特定人物の識別情報、および前記ウェブ画像へのリンクを求めて複数のオンライン位置を採掘するために、ウェブ・クローリング・メカニズムを開始するステップと、
前記ウェブ画像の各々の視覚的特徴を検出し、前記ウェブ画像の各々に識別子を割り当てるステップであって、各識別子が、これが割り当てられた前記ウェブ画像の前記視覚的特徴を記述する、ステップと、
前記特定人物の識別情報を、対応するウェブ画像の識別子に関連付けるステップと、
ウェブ画像に対応する識別子を前記ウェブ画像へのリンクにマッピングするステップと、
前記ウェブ画像の前記マッピングされた識別子を、関連した前記特定人物の識別情報と前記ウェブ画像への前記リンクと共に、前記画像インデックスに格納するステップと、
人物に対する検索問い合わせを受けるステップであって、前記検索問い合わせがテキストベースの問い合わせである、ステップと、
前記検索問い合わせの意図が前記人物に関係する情報を見つけることであることを認識するステップと、
ドロップ・ダウン・メニュー、人物一義化検索問い合わせリスト、ソーシャル・バーのうちの１つに、少なくとも１つの特定の人物に関連した複数の選択可能な識別情報エンティティを提示するステップであって、前記識別情報エンティティの各々が、前記画像インデックス内に格納されたウェブ画像の識別子に対応する、ステップと、
識別情報エンティティの選択を受けるステップであって、前記選択が、ウェブ画像の前記識別子に関連した特定の人物に対する検索をするという意図の指示として作用する、ステップと、
前記画像インデックスにアクセスするステップと、
選択された前記識別情報エンティティに関連する前記識別子を、前記画像インデックスに収集された前記ウェブ画像の識別子と比較するステップと、
前記比較に基づいて、前記選択された識別情報エンティティに関連する前記識別子が、前記ウェブ画像の１つ以上の識別子と関連付けられていることを決定するステップであって、前記ウェブ画像の前記１つ以上の識別子が前記特定の人物に関連付けられた、ステップと、
前記ウェブ画像の前記１つ以上の対応する識別子にマッピングされた１つ以上のリンクを読み出すステップと、
前記特定の人物と関連した複数の非画像ベースの検索結果を、検索エンジンにより決定するステップと、
前記ウェブ画像の前記１つ以上の対応する識別子および前記複数の非画像ベースの検索結果を、関連性にしたがって順位付けして、併合検索結果リストを決定するステップと、
前記検索問い合わせに応答する１組の検索結果内において前記ユーザーへの提示のために、前記併合検索結果リストを配布するステップであって、前記併合検索結果リストが、前記１つ以上のリンクの表現と、前記複数の非画像ベースの検索結果とを含む、ステップと、を含む、方法。  
【請求項８】
請求項７記載の方法であって、前記複数の選択可能な識別情報エンティティの各々が、少なくとも１人の特定の人物に関連した情報を含み、普通名称、通称、誕生日、年齢、出身地、または前記特定の人物に関連する家族情報のうちの少なくとも１つを含む、方法。
【請求項９】
請求項７記載の方法において、前記方法が、更に、
前記１組の検索結果内におけるユーザーへの提示のために、前記１つ以上のリンクを配布する画像エンジンを設けるステップを含む、方法。
【請求項１０】
請求項９記載の方法であって、更に、
前記画像エンジンによって提示のために配布された１つ以上のリンクを、検索エンジンによって引き出されたリンクと併合するステップと、
前記画像エンジンによって提示のために配布された前記１つ以上のリンク、および前記１組の検索結果内において前記検索エンジンによって引き出された前記リンクを順位付けするステップ、
を含む、方法。
【手続補正２】
【補正対象書類名】明細書
【補正対象項目名】０００５
【補正方法】変更
【補正の内容】
【０００５】
[0005]  本発明の実施形態について、添付図面を参照しながら以下に詳しく説明する。図面において、
【図１】図１は、本発明の実施形態を実現するときの使用に適した計算環境例のブロック図である。
【図２】図２は、本発明の実施形態にしたがって、人の画像を使用してその人についての検索問い合わせを解明し、検索問い合わせに応答するリンクを、１組の検索結果内における提示のために配布するシステム例を示す図形表現である。
【図３】図３は、本発明の実施形態にしたがって、ドロップ・ダウン・メニューから特定の有名人を識別し選択するためのユーザー・インターフェース例を示す画面表示である。
【図４】図４は、本発明の実施形態にしたがって、人物一義化ツールを使用して特定の有名人を識別し選択するためのユーザー・インターフェース例を示す画面表示である。
【図５】図５は、本発明の実施形態にしたがって、ソーシャル・ネットワーキング・バーから特定の有名人を識別し選択するためのユーザー・インターフェース例を示す表示画面である。
【図６】図６は、本発明の一実施形態にしたがって、画像インデックスを構築する方法全体を示す流れ図である。
【図７】図７は、本発明の実施形態にしたがって、人物のディジタル画像を引き出してその人物についての検索問い合わせを解明する方法全体を示す流れ図である。
【図８】図８は、本発明の一実施形態にしたがって、画像インデックスを採用して人物についての検索問い合わせを満たす方法全体を示す流れ図である。
【図９】図９は、本発明の一実施形態にしたがって、人物に対する検索問い合わせを受けるためのユーザー・インターフェース例の例示的な画面表示である。
【図１０】図１０は、本発明の一実施形態にしたがって、人物についての検索問い合わせを受けるためのユーザー・インターフェース例の例示的な画面表示である。